(57)【要約】【課題】設定情報管理装置とコントローラとの間で設定情報を短い時間でやり取りできるようにする。【解決手段】設定情報管理装置１０で、コントローラ２の機能のうち取得対象機能を選択して、これら取得対象機能の部分情報をコントローラ２へ要求し、コントローラ２で、設定情報から要求された機能の部分情報を取得して設定情報管理装置１０へ通知する。また設定情報管理装置１０で、コントローラ２の機能のうち登録対象機能を選択して、これら登録対象機能の部分情報の登録のみをコントローラ２へ要求し、コントローラ２で、要求された機能の部分情報を設定情報へ格納更新する。【選択図】  図１
2005284468.tif 000002
【特許請求の範囲】
【請求項１】
予め記憶部に記憶している設定情報に基づき設備端末を監視制御するコントローラと、このコントローラと接続して前記設定情報を取得し変更する設定情報管理装置とを有する設備管理システムであって、
前記設定情報は、前記コントローラが有する個々の機能をそれぞれ実現する複数の部分情報からなり、
前記設定情報管理装置は、
前記コントローラが有する任意の機能を取得対象機能として選択する機能選択手段と、
前記取得対象機能の部分情報を要求する部分情報取得要求をコントローラに送信し、この部分情報取得要求に応じてコントローラから送信された部分情報を記憶部へ格納する設定情報取得手段とを備え、
前記コントローラは、
前記設定情報管理装置からの部分情報取得要求に応じて、要求された機能の部分情報を前記記憶部の設定情報から取得し、その取得した部分情報を前記設定情報管理装置へ送信する情報送受信手段を備えることを特徴とする設備管理システム。
【請求項２】
予め記憶部に記憶している設定情報に基づき設備端末を監視制御するコントローラと接続されて、前記設定情報を取得して変更する設定情報管理装置であって、
前記設定情報は、前記コントローラが有する個々の機能をそれぞれ実現する複数の部分情報からなり、
前記コントローラが有する任意の機能を取得対象機能として選択する機能選択手段と、
前記取得対象機能の部分情報を要求する部分情報取得要求をコントローラに送信し、この部分情報取得要求に応じてコントローラから送信された部分情報を記憶部へ格納する設定情報取得手段とを備えることを特徴とする設定情報管理装置。
【請求項３】
請求項２に記載の設定情報管理装置において、
前記機能選択手段は、
前記コントローラから前記設定情報の各機能の部分情報ごとに生成された変更管理情報を取得し、その変更管理情報に基づいて前記各機能のうち当該部分情報が自装置の記憶部に予め記憶している設定情報の部分情報と相違する機能を前記取得対象機能として選択することを特徴とする設定情報管理装置。
【請求項４】
請求項２に記載の設定情報管理装置において、
前記機能選択手段は、
前記コントローラから前記設定情報の各機能の部分情報ごとに生成された変更管理情報を取得し、その変更管理情報に基づいて前記各機能のうち当該部分情報が自装置の記憶部に予め記憶している設定情報の部分情報と相違する機能を取得候補機能として選択し、
前記取得候補機能を選択状態として前記設定情報のうち所望する機能を操作選択するための選択画面を表示し、前記選択画面で選択状態に操作された機能を前記取得対象機能として選択することを特徴とする設定情報管理装置。
【請求項５】
予め記憶部に記憶している設定情報に基づき設備端末を監視制御するコントローラであって、
前記設定情報は、前記コントローラが有する個々の機能をそれぞれ実現する複数の部分情報からなり、
当該コントローラに接続して前記設定情報を変更する設定情報管理装置からの部分情報送信要求に応じて、要求された機能に対応する部分情報を前記記憶部の設定情報から取得し、その取得した部分情報を前記設定情報管理装置へ送信する情報送受信手段を備えることを特徴とするコントローラ。
【請求項６】
請求項５に記載のコントローラにおいて、
前記情報送受信手段は、前記記憶部の設定情報から前記要求された機能の部分情報の格納場所を示す格納位置情報を取得し、その格納位置情報に基づき所望の部分情報を前記設定情報から取得することを特徴とするコントローラ。
【請求項７】
個々の機能をそれぞれ実現する複数の部分情報からなる設定情報を予め記憶部に記憶するとともにその設定情報に基づき設備端末を監視制御するコントローラと接続されて、前記設定情報を取得して変更する設定情報管理装置のコンピュータに、
前記コントローラが有する任意の機能を取得対象機能として選択するステップと、
前記取得対象機能の部分情報を要求する部分情報取得要求をコントローラに送信するステップと、
この部分情報取得要求に応じてコントローラから送信された部分情報を記憶部へ格納するステップと実行させるプログラム。
【請求項８】
個々の機能をそれぞれ実現する複数の部分情報からなる設定情報を予め記憶部に記憶するとともにその設定情報に基づき設備端末を監視制御するコントローラのコンピュータに、
当該コントローラに接続して前記設定情報を変更する設定情報管理装置からの部分情報送信要求に応じて、要求された機能に対応する部分情報を前記記憶部の設定情報から取得するステップと、
その取得した部分情報を前記設定情報管理装置へ送信するステップとを実行させるプログラム。
【請求項９】
予め記憶部に記憶している設定情報に基づき設備端末を監視制御するコントローラと、このコントローラと接続して前記設定情報を取得し変更する設定情報管理装置とを有する設備管理システムであって、
前記設定情報は、前記コントローラが有する個々の機能をそれぞれ実現する複数の部分情報からなり、
前記設定情報管理装置は、
前記コントローラが有する任意の機能を登録対象機能として選択する機能選択手段と、
前記登録対象機能の部分情報を含む部分情報登録要求を前記コントローラへ送信する設定情報登録手段とを備え、
前記コントローラは、
前記設定情報管理装置からの部分情報登録要求に応じて、その要求に含まれる部分情報を当該機能の新たな部分情報として前記設定情報へ格納する情報送受信手段を備えることを特徴とする設備管理システム。
【請求項１０】
予め記憶部に記憶している設定情報に基づき設備端末を監視制御するコントローラと接続されて、前記設定情報を取得して変更する設定情報管理装置であって、
前記設定情報は、前記コントローラが有する個々の機能をそれぞれ実現する複数の部分情報からなり、
前記コントローラが有する任意の機能を登録対象機能として選択する機能選択手段と、
前記登録対象機能の部分情報を含む部分情報登録要求を前記コントローラへ送信する設定情報登録手段とを備えることを特徴とする設定情報管理装置。
【請求項１１】
請求項１０に記載の設定情報管理装置において、
前記機能選択手段は、
自装置の記憶部に格納されている設定情報の各機能の部分情報ごとに生成された変更管理情報に基づいて、前記各機能のうち変更のあった新たな部分情報の機能を前記登録対象機能として選択することを特徴とする設定情報管理装置。
【請求項１２】
請求項１０に記載の設定情報管理装置において、
前記機能選択手段は、
自装置の記憶部に格納されている設定情報の各機能の部分情報ごとに生成された変更管理情報に基づいて、前記各機能のうち変更のあった新たな部分情報の機能を登録候補機能として選択し、
前記登録候補機能を選択状態として前記設定情報のうち所望する機能を操作選択するための選択画面を表示し、前記選択画面で選択状態に操作された機能を前記登録対象機能として選択することを特徴とする設定情報管理装置。
【請求項１３】
予め記憶部に記憶している設定情報に基づき設備端末を監視制御するコントローラであって、
前記設定情報は、前記コントローラが有する個々の機能をそれぞれ実現する複数の部分情報からなり、
当該コントローラに接続して前記設定情報を変更する設定情報管理装置からの部分情報登録要求に応じて、その要求に含まれる部分情報を当該機能の新たな部分情報として前記設定情報へ格納する情報送受信手段を備えることを特徴とするコントローラ。
【請求項１４】
請求項１３に記載のコントローラにおいて、
前記情報送受信手段は、前記記憶部の設定情報から前記要求された機能の部分情報の格納場所を示す格納位置情報を取得し、その格納位置情報に基づき前記部分情報を前記設定情報へ格納更新することを特徴とするコントローラ。
【請求項１５】
個々の機能をそれぞれ実現する複数の部分情報からなる設定情報を予め記憶部に記憶するとともにその設定情報に基づき設備端末を監視制御するコントローラと接続されて、前記コントローラへ新たな設定情報を登録する設定情報管理装置のコンピュータに、
前記コントローラが有する任意の機能を登録対象機能として選択するステップと、
前記登録対象機能の部分情報を含む部分情報登録要求を前記コントローラへ送信するステップとを実行させるプログラム。
【請求項１６】
個々の機能をそれぞれ実現する複数の部分情報からなる設定情報を予め記憶部に記憶するとともにその設定情報に基づき設備端末を監視制御するコントローラのコンピュータに、
当該コントローラに接続して前記設定情報を変更する設定情報管理装置からの部分情報登録要求に応じて、その要求に含まれる部分情報を当該機能の新たな部分情報として前記設定情報へ格納するステップを実行させるプログラム。
【発明の詳細な説明】
【技術分野】
【０００１】
本発明は、設備管理技術に関し、特に各種設備端末を制御するコントローラで用いられる設定情報を、当該コントロールと通信回線を介してやり取りする設定情報管理装置に関するものである。
【背景技術】
【０００２】
一般に、プラント、建物、ホームオートメーションなどの設備を監視制御する設備管理システムでは、各設備の設備端末を制御するコントローラ（制御装置）を設け、このコントローラに予め登録しておいた設定情報に含まれる各種機能のうち、所定の機能を実行させることにより、コントローラで各設備端末を監視制御するものとなっている。
このような設備管理システムでは、任意の設備端末について監視制御を変更する場合、コントローラに設定情報管理装置を接続し、この設定情報管理装置でコントローラに登録されている設定情報を変更するものとなっている。
【０００３】
従来、設定情報の変更を行う場合、まず設定情報管理装置で、コントローラに登録されている設定情報を取得（アップロード）し、あるいはコントローラに登録されているものと同じ設定情報を用意し、その設定情報のうち所望の機能に関する箇所を修正した後、その設定情報を当該コントローラへ登録（ダウンロード）するものとなっている。その際、設定情報管理装置とコントローラとの間で設定情報をやり取りする場合、修正如何に関わらず、すべての機能の設定情報を一括してやり取りするものとなっている。
【０００４】
なお、出願人は、本明細書に記載した先行技術文献情報で特定される先行技術文献以外には、本発明に関連する先行技術文献を出願時までに発見するには至らなかったが、出願人は、本発明出願時点で未公開ではあるが、特願２００２−２２２５８５号を出願している。
【非特許文献１】山武ハネウェル制御技術研究報告，「Savemation Review」，1988年６月号，山武ハネウェル
【発明の開示】
【発明が解決しようとする課題】
【０００５】
このような設備管理システムを取り巻く環境として、コントローラで用いられる設定情報は、コントローラ自体あるいは設備端末の高機能化に伴って、設定情報のデータサイズも大きくなる傾向にある。また、コントローラでは、外部装置との通信プロトコルとして、ＲＳ２３２Ｃ、ＲＳ４８５、あるいはＮＣ−ｂｕｓなどの通信プロトコルが採用されており、その通信速度は9600/4800bpsである。これに対しＬＡＮなどで用いられるイーサネット（Ethernet:登録商標）などの通信プロトコルの通信速度は100Mbpsであり、コントローラのものと比較して極めて速い。
【０００６】
したがって、前述した従来技術のように、設定情報管理装置とコントローラとの間で設定情報を一括してやり取りする場合には、その設定情報のやり取りに時間がかかり、作業効率が悪いという問題点があった。また、新たな設定情報を登録するには、その期間だけ設備端末の制御停止を余儀なくされる場合もあり、制御停止時間の延長化に起因して設備運転に支障を来すという問題点があった。
本発明はこのような課題を解決するためのものであり、設定情報管理装置とコントローラとの間で設定情報を短い時間でやり取りできる設備管理システム、設定情報管理装置、コントローラ、およびプログラムを提供することを目的としている。
【課題を解決するための手段】
【０００７】
このような目的を達成するために、本発明にかかる設備管理システムは、予め記憶部に記憶している設定情報に基づき設備端末を監視制御するコントローラと、このコントローラと接続して設定情報を取得し変更する設定情報管理装置とを有する設備管理システムであって、設定情報は、コントローラが有する個々の機能をそれぞれ実現する複数の部分情報からなり、設定情報管理装置に、コントローラが有する任意の機能を取得対象機能として選択する機能選択手段と、取得対象機能の部分情報を要求する部分情報取得要求をコントローラに送信し、この部分情報取得要求に応じてコントローラから送信された部分情報を記憶部へ格納する設定情報取得手段とを備え、コントローラに、設定情報管理装置からの部分情報取得要求に応じて、要求された機能の部分情報を記憶部の設定情報から取得し、その取得した部分情報を設定情報管理装置へ送信する情報送受信手段を備えるものである。
【０００８】
また、本発明にかかる設定情報管理装置は、予め記憶部に記憶している設定情報に基づき設備端末を監視制御するコントローラと接続されて、設定情報を取得して変更する設定情報管理装置であって、設定情報は、コントローラが有する個々の機能をそれぞれ実現する複数の部分情報からなり、コントローラが有する任意の機能を取得対象機能として選択する機能選択手段と、取得対象機能の部分情報を要求する部分情報取得要求をコントローラに送信し、この部分情報取得要求に応じてコントローラから送信された部分情報を記憶部へ格納する設定情報取得手段とを備えるものである。
【０００９】
この際、機能選択手段で、コントローラから設定情報の各機能の部分情報ごとに生成された変更管理情報を取得し、その変更管理情報に基づいて各機能のうち当該部分情報が自装置の記憶部に予め記憶している設定情報の部分情報と相違する機能を取得対象機能として選択するようにしてもよい。
【００１０】
あるいは、機能選択手段で、コントローラから設定情報の各機能の部分情報ごとに生成された変更管理情報を取得し、その変更管理情報に基づいて各機能のうち当該部分情報が自装置の記憶部に予め記憶している設定情報の部分情報と相違する機能を取得候補機能として選択し、取得候補機能を選択状態として設定情報のうち所望する機能を操作選択するための選択画面を表示し、選択画面で選択状態に操作された機能を取得対象機能として選択するようにしてもよい。
【００１１】
また、本発明にかかるコントローラは、予め記憶部に記憶している設定情報に基づき設備端末を監視制御するコントローラであって、設定情報は、コントローラが有する個々の機能をそれぞれ実現する複数の部分情報からなり、当該コントローラに接続して設定情報を変更する設定情報管理装置からの部分情報送信要求に応じて、要求された機能に対応する部分情報を記憶部の設定情報から取得し、その取得した部分情報を設定情報管理装置へ送信する情報送受信手段を備えるものである。
【００１２】
この際、情報送受信手段で、記憶部の設定情報から要求された機能の部分情報の格納場所を示す格納位置情報を取得し、その格納位置情報に基づき所望の部分情報を設定情報から取得するようにしてもよい。
【００１３】
また、本発明にかかるプログラムは、個々の機能をそれぞれ実現する複数の部分情報からなる設定情報を予め記憶部に記憶するとともにその設定情報に基づき設備端末を監視制御するコントローラと接続されて、設定情報を取得して変更する設定情報管理装置のコンピュータに、コントローラが有する任意の機能を取得対象機能として選択するステップと、取得対象機能の部分情報を要求する部分情報取得要求をコントローラに送信するステップと、この部分情報取得要求に応じてコントローラから送信された部分情報を記憶部へ格納するステップと実行させるようにしたものである。
【００１４】
また、本発明にかかる他のプログラムは、個々の機能をそれぞれ実現する複数の部分情報からなる設定情報を予め記憶部に記憶するとともにその設定情報に基づき設備端末を監視制御するコントローラのコンピュータに、当該コントローラに接続して設定情報を変更する設定情報管理装置からの部分情報送信要求に応じて、要求された機能に対応する部分情報を記憶部の設定情報から取得するステップと、その取得した部分情報を設定情報管理装置へ送信するステップとを実行させるようにしたものである。
【００１５】
また、本発明にかかる他の設備管理システムは、予め記憶部に記憶している設定情報に基づき設備端末を監視制御するコントローラと、このコントローラと接続して設定情報を取得し変更する設定情報管理装置とを有するコントローラと、このコントローラと接続してコントローラへ新たな設定情報を登録する設定情報管理装置とを有する設備管理システムであって、設定情報は、コントローラが有する個々の機能をそれぞれ実現する複数の部分情報からなり、設定情報管理装置に、設定情報のうち新たな部分情報を登録する登録対象機能を選択する機能選択手段と、登録対象機能の部分情報を含む部分情報登録要求をコントローラへ送信する設定情報登録手段とを備え、コントローラに、設定情報管理装置からの部分情報登録要求に応じて、その要求に含まれる部分情報を当該機能の新たな部分情報として設定情報へ格納する情報送受信手段を備えるものである。
【００１６】
また、本発明にかかる設定情報管理装置は、予め記憶部に記憶している設定情報に基づき設備端末を監視制御するコントローラと接続されて、設定情報を取得して変更する設定情報管理装置であって、設定情報は、コントローラが有する個々の機能をそれぞれ実現する複数の部分情報からなり、コントローラが有する任意の機能を登録対象機能として選択する機能選択手段と、登録対象機能の部分情報を含む部分情報登録要求をコントローラへ送信する設定情報登録手段とを備えるものである。
【００１７】
この際、機能選択手段で、自装置の記憶部に格納されている設定情報の各機能の部分情報ごとに生成された変更管理情報に基づいて、各機能のうち変更のあった新たな部分情報の機能を登録対象機能として選択するようにしてもよい。
【００１８】
あるいは、機能選択手段で、自装置の記憶部に格納されている設定情報の各機能の部分情報ごとに生成された変更管理情報に基づいて、各機能のうち変更のあった新たな部分情報の機能を登録候補機能として選択し、登録候補機能を選択状態として設定情報のうち所望する機能を操作選択するための選択画面を表示し、選択画面で選択状態に操作された機能を登録対象機能として選択するようにしてもよい。
【００１９】
また、本発明にかかるコントローラは、予め記憶部に記憶している設定情報に基づき設備端末を監視制御するコントローラであって、設定情報は、コントローラが有する個々の機能をそれぞれ実現する複数の部分情報からなり、当該コントローラに接続して設定情報を変更する設定情報管理装置からの部分情報登録要求に応じて、その要求に含まれる部分情報を当該機能の新たな部分情報として設定情報へ格納する情報送受信手段を備えるものである。
【００２０】
この際、情報送受信手段で、記憶部の設定情報から要求された機能の部分情報の格納場所を示す格納位置情報を取得し、その格納位置情報に基づき部分情報を設定情報へ格納更新するようにしてもよい。
【００２１】
また、本発明にかかる他のプログラムは、個々の機能をそれぞれ実現する複数の部分情報からなる設定情報を予め記憶部に記憶するとともにその設定情報に基づき設備端末を監視制御するコントローラと接続されて、コントローラへ新たな設定情報を登録する設定情報管理装置のコンピュータに、コントローラが有する任意の機能を登録対象機能として選択するステップと、登録対象機能の部分情報を含む部分情報登録要求をコントローラへ送信するステップとを実行させるようにしたものである。
【００２２】
また、本発明にかかる他のプログラムは、個々の機能をそれぞれ実現する複数の部分情報からなる設定情報を予め記憶部に記憶するとともにその設定情報に基づき設備端末を監視制御するコントローラのコンピュータに、当該コントローラに接続して設定情報を変更する設定情報管理装置からの部分情報登録要求に応じて、その要求に含まれる部分情報を当該機能の新たな部分情報として設定情報へ格納するステップを実行させるようにしたものである。
【発明の効果】
【００２３】
本発明によれば、設定情報管理装置でコントローラの設定情報を変更する際、設定情報のうち変更に必要な機能を実現する部分情報のみが、設定情報管理装置とコントローラとの間でやり取りされるものとなり、コントローラのデータ通信速度が遅い場合でも、あるいは設定情報のデータサイズが比較的大きな場合であっても、設定情報管理装置とコントローラとの間でやり取りされる設定情報のデータサイズを必要最小限まで削減でき、すべての設定情報をやり取りする場合と比較して、より短い時間で必要な設定情報をやり取りできる。これにより、コントローラにおける設備端末の制御停止期間を大幅に短縮することができ、設備運転に対する支障を低減できる。
【発明を実施するための最良の形態】
【００２４】
次に、本発明の実施の形態について図面を参照して説明する。
［設備管理システム］
まず、図１を参照して、本発明の一実施の形態にかかる設備管理システムについて説明する。図１は本発明の一実施の形態にかかる設備管理システムの構成を示すブロック図である。
この設備管理システムは、通信回線を介して各種設備端末を制御することにより、プラント、建物、ホームオートメーションなどの設備を監視制御するシステムであり、設備端末１、コントローラ２（２Ａ，２Ｂ）、中央監視装置３、設定情報管理装置１０、およびこれら装置を接続する通信回線５，６，７から構成されている。
【００２５】
設備端末１は、例えばポンプ、バルブ、流量計、温度計、圧力計や、照明機器、空調装置、エレベータなどのフィールド機器からなり、監視制御対象となる管理ポイントが設定されている。
コントローラ２Ａは、全体としてコンピュータで実現される制御機器からなり、予め登録された設定情報に基づき動作して、通信回線５を介して各設備端末１を監視制御する。
上位コントローラ２Ｂは、全体としてコンピュータで実現される制御機器からなり、予め登録された設定情報に基づき動作して、通信回線６を介して各コントローラ２Ａを監視制御する。
【００２６】
中央制御装置３は、全体としてコンピュータで実現されるサーバ装置からなり、通信回線７を介して接続された上位コントローラ２Ｂを制御し、その配下にあるコントローラ２Ａを介して各設備端末の管理ポイントを一括して監視制御する。
設定情報管理装置１０は、全体としてコンピュータで実現される端末装置からなり、通信回線８あるいは通信回線６，７を介してコントローラ２Ａや上位コントローラ２Ｂと接続し、当該コントローラに登録されている設定情報の変更を行う。
【００２７】
本実施の形態は、設定情報管理装置１０でコントローラ２Ａ，２Ｂの設定情報を変更する際、設定情報のうち変更に必要な機能を実現する部分情報のみを、設定情報管理装置１０とコントローラ２Ａ，２Ｂとの間でやり取りするようにしたものである。
【００２８】
［コントローラ］
次に、図２を参照して、コントローラ２（２Ａ，２Ｂ）について説明する。図２はコントローラ２Ａの構成を示すブロック図である。
コントローラ２Ａには、通信インターフェース部（以下、通信Ｉ／Ｆ部という）２１、表示部２２、操作入力部２３、入出力インターフェース部（以下、入出力Ｉ／Ｆ部という）２４、制御インターフェース部（以下、制御Ｉ／Ｆ部という）２５、記憶部２６、および制御部２７が設けられている。
【００２９】
通信Ｉ／Ｆ部２１は、通信回線６を介して上位コントローラ２Ｂとデータ通信を行う回路部である。表示部２２は、ＬＥＤやＬＣＤなどからなり、制御部２７からの出力に応じて当該コントローラの状態情報を表示する回路部である。操作入力部２３はキースイッチなどからなり、オペレータの操作を検出して制御部２７へ出力する回路部である。入出力Ｉ／Ｆ部２４は、通信回線８を介して設定情報管理装置１０とデータ通信を行う回路部である。制御Ｉ／Ｆ部２５は、通信回線５を介して各設備端末１とデータ通信を行う回路部である。
【００３０】
記憶部２６は、メモリやハードディスクなどの記憶装置からなり、制御部２７での処理動作に用いる各種情報、例えば当該コントローラの動作に用いる設定情報２６Ａ、設定情報２６Ａの各部分情報ごとに算出した検査データ２６Ｂ、各部分情報の変更有無を示す設定情報管理フラグ２６Ｃ、プログラム２６Ｄなどの情報を記憶する回路部である。なお、プログラム２６Ｄは、通信回線に接続された管理サーバ（図示せず）や記録媒体（図示せず）から予め取り込まれて記憶部２６に格納される。
【００３１】
制御部２７は、ＣＰＵなどのマイクロプロセッサおよびその周辺回路を有し、記憶部２６からプログラム２６Ｄを読み込んで実行することにより、上記ハードウェアとプログラムとを協働させることにより各種機能手段を実現する機能部である。
これら機能手段としては、監視制御手段２７Ａ、設定情報編集手段２７Ｂ、および情報送受信手段２７Ｃが設けられている。
【００３２】
監視制御手段２７Ａは、制御Ｉ／Ｆ部２５を介して各設備端末１とデータ通信を行うことにより、記憶部２６の設定情報２６Ａに含まれる任意の機能を用いて当該設備端末１の管理ポイントを監視制御する機能手段である。
設定情報編集手段２７Ｂは、オペレータによる操作入力部２３からの操作に応じて、記憶部２６の設定情報２６Ａを部分情報ごとに編集して更新するとともに、当該部分情報について検査データ２６Ｂおよび設定情報管理フラグ２６Ｃを更新する機能手段である。
【００３３】
情報送受信手段２７Ｃは、入出力Ｉ／Ｆ部２４または通信Ｉ／Ｆ部２１を介して設定情報管理装置１０とデータ通信を行うことにより、記憶部２６の設定情報２６Ａのうち所望の機能に対応する箇所から部分情報を読み出して設定情報管理装置１０へ送信し、また設定情報管理装置１０から受信した部分情報を、記憶部２６の設定情報２６Ａのうちその機能に対応する箇所へ格納更新する機能手段である。また、情報送受信手段２７Ｃは、記憶部２６から検査データ２６Ｂや設定情報管理フラグ２６Ｃを読み出して設定情報管理装置１０へ送信する。
【００３４】
以上では、図２を参照して、コントローラ２Ａについて説明したが、上位コントローラ２Ｂについては、通信Ｉ／Ｆ部２１に通信回線５が接続されるとともに、制御Ｉ／Ｆ部２５に通信回線６が接続され、監視制御手段２７Ａが配下の各コントローラ２Ａを監視制御するものの、他の部分については前述のコントローラ２Ａとほぼ同様である。
【００３５】
［設定情報管理装置］
次に、図３を参照して、設定情報管理装置１０について詳細に説明する。図３は設定情報管理装置１０の構成を示すブロック図である。
設定情報管理装置１０には、通信インターフェース部（以下、通信Ｉ／Ｆ部という）１１、画面表示部１２、操作入力部１３、入出力Ｉ／Ｆ部（以下、入出力Ｉ／Ｆ部という）１４、記憶部１６、および制御部１７が設けられている。
【００３６】
通信Ｉ／Ｆ部１１は、通信回線６を介してコントローラ２Ａとデータ通信を行う回路部である。画面表示部１２は、ＬＣＤやＣＲＴなどの画面表示装置からなり、制御部１７からの出力に応じて後述する選択画面などの各種画面を表示する回路部である。操作入力部１３はキーボードやマウスなどの操作入力装置からなり、オペレータの操作を検出して制御部１７へ出力する回路部である。入出力Ｉ／Ｆ部１４は、通信回線８を介してコントローラ２Ａ，２Ｂとデータ通信を行う回路部である。
【００３７】
記憶部１６は、メモリやハードディスクなどの記憶装置からなり、制御部１７での処理動作に用いる各種情報、例えば当該コントローラの動作に用いる設定情報１６Ａ、設定情報１６Ａの各部分情報ごとに算出した検査データ１６Ｂ、各部分情報の変更有無を示す設定情報管理フラグ１６Ｃ、プログラム１６Ｄなどの情報を記憶する回路部である。なお、プログラム１６Ｄは、通信回線に接続された管理サーバ（図示せず）や記録媒体（図示せず）から予め取り込まれて記憶部１６に格納される。
【００３８】
制御部１７は、ＣＰＵなどのマイクロプロセッサおよびその周辺回路を有し、記憶部１６からプログラム１６Ｄを読み込んで実行することにより、上記ハードウェアとプログラムとを協働させることにより各種機能手段を実現する機能部である。
これら機能手段としては、設定情報取得手段１７Ａ、設定情報登録手段１７Ｂ、機能選択手段１７Ｃ、および設定情報編集手段１７Ｄが設けられている。
【００３９】
設定情報取得手段１７Ａは、入出力Ｉ／Ｆ部１４または通信Ｉ／Ｆ部１１を介して接続されたコントローラ２Ａ，２Ｂから、設定情報２６Ａのうち所望の機能に対応する部分情報を受信して取得し、記憶部１６へ設定情報１６Ａとして格納する機能手段である。
設定情報登録手段１７Ｂは、入出力Ｉ／Ｆ部１４または通信Ｉ／Ｆ部１１を介して接続されたコントローラ２Ａ，２Ｂへ、記憶部１６に格納されている設定情報１６Ａのうち変更した機能に対応する部分情報を送信し、当該コントローラの設定情報２６Ａへ更新登録する機能手段である。
【００４０】
機能選択手段１７Ｃは、オペレータによる操作入力部１３からの操作や検査データ１６Ｂ、さらには設定情報管理フラグ１６Ｃに基づき、設定情報取得手段１７Ａや設定情報登録手段１７Ｂでの取得または登録の対象となる機能を選択する機能手段である。
設定情報編集手段１７Ｄは、オペレータによる操作入力部１３からの操作に応じて、記憶部１６の設定情報１６Ａを部分情報ごとに編集して更新するとともに、当該部分情報について検査データ１６Ｂおよび設定情報管理フラグ１６Ｃを更新する機能手段である。
【００４１】
［設定情報］
次に、図４を参照して、コントローラ２で用いられる設定情報２６Ａについて説明する。図４は設定情報２６Ａの構成例である。
この設定情報２６Ａは、コントローラ２の監視制御手段２７Ａでの監視制御に用いる各種機能を実現するための情報であり、ヘッダ部２００とデータ部２１０とから構成され、１つのファイルとして記憶部２６に格納されている。
【００４２】
ヘッダ部２００は、当該設定情報２６Ａの構成を示す情報からなり、当該設定情報２６Ａのファイルサイズを示すファイルサイズ情報２０１と、データ部２１０内に各機能ごとに格納されている部分情報の格納位置を示す格納位置情報２０２とを有している。この格納位置情報２０２は、当該ファイル内における各部分情報の絶対的あるいは相対的な格納位置および当該部分情報のデータサイズを示す情報からなる。
【００４３】
データ部２１０は、各機能を実現するための情報を示す部分情報２１１〜２１ｎからなる。これら部分情報２１１〜２１ｎには、例えば制御対象となる設備端末の型番、タイプ、ネットワーク上でのアドレスなどの基本情報や、当該設備端末が持つ管理ポイントを特定するためのポイント情報、さらには管理ポイントに対する監視制御の具体的なタイムスケジュールなどが、各機能ごとにブロック化されて格納されている。
なお、設定情報管理装置１０の記憶部１６に格納されている設定情報１６Ａも上記と同様の構成である。
【００４４】
［検査データ］
次に、図５を参照して、コントローラ２で用いる検査データ２６Ｂについて説明する。図５は検査データ２６Ｂの構成例である。
この検査データ２６Ｂは、通常、データ送受信における誤りを検出し訂正するための情報であり、本実施の形態では、記憶部２６の設定情報２６Ａと設定情報管理装置１０の設定情報１６Ａとの違いを各機能ごとに確認するための変更管理情報として用いられる。同一機能に対応する２つの部分情報について生成した検査データが異なる場合、両者の情報内容も異なっていると判断できる。
【００４５】
この検査データ２６Ｂは、各部分情報２１１〜２１ｎごとに、ＣＲＣやチェックサムなどの公知の計算方法を用いて、設定情報編集手段２７Ｂや情報送受信手段２７Ｃにより検査値が生成され、各機能を識別するための機能番号とともにその検査値が対応付けられて記憶部２６へ格納される。
なお、設定情報管理装置１０の記憶部１６に格納されている検査データ１６Ｂも、上記と同様の構成であり、設定情報取得手段１７Ａ、設定情報登録手段１７Ｂ、あるいは設定情報編集手段１７Ｄにより生成され、記憶部１６へ格納される。
【００４６】
［設定情報管理フラグ］
次に、図６を参照して、コントローラ２で用いる設定情報管理フラグ２６Ｃについて説明する。図６は設定情報管理フラグ２６Ｃの構成例である。
この設定情報管理フラグ２６Ｃは、記憶部２６の設定情報２６Ａについて、コントローラ２の設定情報編集手段２７Ｂによる変更の有無を、各機能ごとに管理するための情報である。ここでは、各機能を識別するための機能番号ごとに、変更の有無を示す変更フラグが対応付けられている。
【００４７】
変更フラグについては、例えば設定情報編集手段２７Ｂにおいて、各部分情報についてその編集前後に求めた検査データ２６Ｂが相違した場合に変更有りと判断し、相違しない場合に変更無しと判断すればよい。
なお、設定情報管理装置１０の記憶部１６に格納されている設定情報管理フラグ１６Ｃも、上記と同様の構成であり、設定情報取得手段１７Ａ、設定情報登録手段１７Ｂ、あるいは設定情報編集手段１７Ｄにより生成され、記憶部１６へ格納される。
【００４８】
［第１の実施の形態］
次に、図７を参照して、本発明の第１の実施の形態にかかる設備管理システムの設定情報取得動作について説明する。図７は設備管理システムの設定情報取得動作を示すシーケンス図である。
ここでは、通信回線８を介して入出力Ｉ／Ｆ部１４に接続されているコントローラ２から、設定情報管理装置１０が所望の機能に対応する部分情報を取得する場合を例として説明する。なお、コントローラ２および設定情報管理装置１０は、前述した図２および図３の構成をなしているものとする。
【００４９】
設定情報管理装置１０の制御部１７は、オペレータによる所定の設定情報取得操作を操作入力部１３を介して検出した場合、機能選択手段１７Ｃで、図８に示すアップロード選択画面３００を表示する（ステップ１００）。
図８はアップロード選択画面の表示例である。このアップロード選択画面３００は、オペレータがコントローラ２から取得したい機能の部分情報を操作選択するための選択画面である。この例では、各機能番号には、操作選択するためのシンボルとしてチェックボックス３０１がそれぞれ設けられており、ここをマウスにより操作してチェックマークを付けるという選択操作により、その機能の部分情報の取得を指示するものとなっている。
【００５０】
機能選択手段１７Ｃは、このようなアップロード選択画面３００でのＯＫボタン３０２の押下などの選択確定操作に応じて（ステップ１０１）、アップロード選択画面３００での選択情報に基づき部分情報の取得対象となる取得対象機能を選択し、これら取得対象機能を設定情報取得手段１７Ａへ通知する（ステップ１０２）。
設定情報取得手段１７Ａでは、機能選択手段１７Ｃから通知された取得対象機能ごとに、その機能の部分情報の取得を要求する部分情報取得要求を、入出力Ｉ／Ｆ部１４および通信回線８を介してコントローラ２へ送信する（ステップ１１０）。
【００５１】
コントローラ２の制御部２７は、設定情報管理装置１０からの部分情報取得要求に応じて、情報送受信手段２７Ｃで、その要求された機能の格納位置情報を記憶部２６の設定情報２６Ａから取得し（ステップ１１１）、その格納位置情報に基づき設定情報２６Ａから当該機能の部分情報を取得する（ステップ１１２）。そして、入出力Ｉ／Ｆ部２４および通信回線８を介して設定情報管理装置１０へ通知する（ステップ１１３）。
設定情報管理装置１０の設定情報取得手段１７Ａは、コントローラ２から通知された部分情報を、その格納位置情報に基づき記憶部１６の設定情報１６Ａに格納更新する（ステップ１１４）。
【００５２】
このようなステップ１１０〜１１４における部分情報の取得処理を繰り返し実行し（ステップ１１５：ＮＯ）、機能選択手段１７Ｃから通知されたすべての取得対象機能の部分情報を取得した場合は（ステップ１１５：ＹＥＳ）、これら更新した部分情報について新たな検査データ１６Ｂを生成するとともに、設定情報管理フラグ１６Ｃを変更無しに設定して、それぞれ記憶部１６へ格納し（ステップ１１６）、一連の設定情報取得処理を終了する。
【００５３】
このように、機能選択手段１７Ｃで、コントローラ２から取得する部分情報の取得対象機能を選択して、これら取得対象機能の部分情報をコントローラ２へ要求し、コントローラ２の情報送受信手段２７Ｃで、設定情報２６Ａから要求された機能の部分情報を取得して設定情報管理装置１０へ通知するようにしたので、設定情報２６Ａのうち変更対象となる機能の部分情報のみをコントローラ２から取得することができる。
【００５４】
したがって、コントローラ２のデータ通信速度が遅い場合でも、あるいは設定情報のデータサイズが比較的大きな場合であっても、コントローラ２から設定情報管理装置１０へ送信されるデータサイズを必要最小限まで削減でき、すべての設定情報を取得する場合と比較して、より短い時間で必要な設定情報を取得できる。これにより、コントローラ２における設備端末の制御停止期間を大幅に短縮することができ、設備運転に対する支障を低減できる。
【００５５】
［取得機能自動選択処理］
次に、図９を選択して、本実施の形態の設備管理システムにおける取得機能自動選択処理について説明する。図９は、本実施の形態の設備管理システムにおける取得機能自動選択処理を示すシーケンス図である。
前述した図７では、機能選択手段１７Ｃにおいて、オペレータの操作入力に基づき、部分情報を取得する取得対象機能を選択する場合を例として説明したが、これらステップ１００〜１０２の処理に代えて、コントローラ２の設定情報２６Ａと設定情報管理装置１０の設定情報１６Ａとを比較し、異なる機能の部分情報のみを取得対象として自動的に選択するようにしてもよい。
【００５６】
この場合、設定情報管理装置１０の機能選択手段１７Ｃは、まず変更管理情報の取得要求をコントローラ２へ送信する（ステップ１２０）。
これに応じて、コントローラ２の制御部２７は、情報送受信手段２７Ｃで、記憶部２６から設定情報管理フラグ２６Ｃを取得し（ステップ１２１）、その設定情報管理フラグ２６Ｃを設定情報管理装置１０へ通知する（ステップ１２２）。
【００５７】
設定情報管理装置１０の機能選択手段１７Ｃは、コントローラ２から通知された設定情報管理フラグ２６Ｃのうち、変更有りを示す機能を、部分情報の取得対象機能として選択する（ステップ１２３）。
コントローラ２の設定情報２６Ａを変更する際、その設定情報２６Ａと同じものを設定情報管理装置１０の記憶部１６で持っている場合、例えば前回変更時の設定情報２６Ａと同じ内容の設定情報１６Ａが記憶部１６に保存されている場合には、設定情報２６Ａを取得する必要はない。
【００５８】
しかし、コントローラ２の設定情報編集手段２７Ｂなどにより設定情報２６Ａが別個に変更された場合には、現在コントローラ２で使用されている実際の設定情報２６Ａを元にして編集を行う必要がある。
図９の取得機能自動選択処理によれば、設定情報管理フラグ２６Ｃを用いて、設定情報２６Ａの各機能ごとにその部分情報の変更有無を確認するようにしたので、容易かつ正確に取得要否を判断することができる。
【００５９】
なお、以上では、設定情報管理フラグ２６Ｃを各部分情報の変更管理情報として用いた場合を例として説明したが、検査データ２６Ｂを変更管理情報として用いてもよい。
この場合、機能選択手段１７Ｃでは、コントローラ２から取得した検査データ２６Ｂと記憶部１６の検査データ１６Ｂとを各機能ごとに比較し、両者が相違する機能を取得対象機能として選択すればよい。
【００６０】
［登録機能選択処理］
上記取得機能自動選択処理を図７の設定情報取得処理に組み合わせてもよい。図１０にこれらを組み合わせた取得機能選択処理を示す。
ここでは、図７のステップ１００に代えて、図９のステップ１２０〜１２２を実行した後、設定情報管理装置１０の機能選択手段１７Ｃで、設定情報管理フラグ２６Ｃのうち変更有りを示す機能を取得候補機能として選択し（ステップ１２４）、これら取得候補機能のチェックボックス３０１に予めチェックマークを付けて選択状態としたアップロード選択画面３００を表示する（ステップ１２５）。
【００６１】
これにより、アップロード選択画面３００において、取得すべき機能を予め選択状態とすることができ、その後の選択操作１０１での選択ミスによる部分情報の取得漏れを回避できる。
したがって、コントローラ２の設定情報２６Ａが別個に変更され、設定情報管理装置１０に格納されている設定情報１６Ａと内容が異なる場合でも、設定情報管理装置１０での編集時には、コントローラ２の設定情報２６Ａと整合のとれた設定情報１６Ａを元にして新たな編集を行うことができ、異なる内容の設定情報１６Ａを用いた編集ミスを回避できる。
【００６２】
［第２の実施の形態］
次に、図１１を参照して、本発明の第２の実施の形態にかかる設備管理システムにおける設定情報登録動作について説明する。図１１は、本発明の第２の実施の形態にかかる設備管理システムにおける設定情報登録動作を示すシーケンス図である。
本実施の形態では、通信回線８を介して入出力Ｉ／Ｆ部１４に接続されているコントローラ２に対して、設定情報管理装置１０から所望の機能に対応する部分情報を登録する場合を例として説明する。なお、コントローラ２および設定情報管理装置１０は、前述した図２および図３の構成をなしているものとする。
【００６３】
設定情報管理装置１０の制御部１７は、オペレータによる所定の設定情報登録操作を操作入力部１３を介して検出した場合、機能選択手段１７Ｃで、図１２に示すダウンロード選択画面３１０を表示する（ステップ１４０）。
図１２はダウンロード選択画面の表示例である。このダウンロード選択画面３１０は、オペレータがコントローラ２へ登録したい機能の部分情報を操作選択するための選択画面である。この例では、各機能番号には、操作選択するためのシンボルとしてチェックボックス３１１がそれぞれ設けられており、ここをマウスにより操作してチェックマークを付けるという選択操作により、その機能の部分情報の登録を指示するものとなっている。
【００６４】
機能選択手段１７Ｃは、このようなダウンロード選択画面３１０でのＯＫボタン３１２の押下などの選択確定操作に応じて（ステップ１４１）、ダウンロード選択画面３１０での選択状態に基づき部分情報の登録対象となる登録対象機能を選択し、これら登録対象機能を設定情報登録手段１７Ｂへ通知する（ステップ１４２）。
設定情報登録手段１７Ｂでは、機能選択手段１７Ｃから通知された登録対象機能ごとに、その機能の部分情報を含む部分情報登録要求を、入出力Ｉ／Ｆ部１４および通信回線８を介してコントローラ２へ送信する（ステップ１５０）。
【００６５】
コントローラ２の制御部２７は、設定情報管理装置１０からの部分情報登録要求に応じて、情報送受信手段２７Ｃで、その要求された機能の格納位置情報を記憶部２６の設定情報２６Ａから取得し（ステップ１５１）、その格納位置情報に基づき部分情報登録要求に含まれる部分情報を設定情報２６Ａに格納更新する（ステップ１５２）。そして、入出力Ｉ／Ｆ部２４および通信回線８を介して設定情報管理装置１０へ登録終了を通知し（ステップ１５３）、当該部分情報について記憶部２６の検査データ２６Ｂを再計算して更新するとともに情報設定情報管理フラグ２６Ｃを変更無しに設定する（ステップ１５４）。
【００６６】
設定情報管理装置１０の設定情報登録手段１７Ｂは、コントローラ２からの登録終了通知に応じて、当該部分情報の登録終了を確認する。そして、このようなステップ１５０〜１５４における部分情報の登録処理を繰り返し実行し（ステップ１５５：ＮＯ）、機能選択手段１７Ｃから通知されたすべての登録対象機能について登録が終了した場合は（ステップ１５５：ＹＥＳ）、一連の設定情報登録処理を終了する。
【００６７】
このように、機能選択手段１７Ｃで、コントローラ２へ登録する部分情報の登録対象機能を選択して、これら登録対象機能の部分情報の登録のみをコントローラ２へ要求し、コントローラ２の情報送受信手段２７Ｃで、要求された機能の部分情報を設定情報２６Ａへ格納更新するようにしたので、設定情報１６Ａのうち変更対象となる機能の部分情報のみをコントローラ２から取得することができる。
【００６８】
したがって、コントローラ２のデータ通信速度が遅い場合でも、あるいは設定情報のデータサイズが比較的大きな場合であっても、設定情報管理装置１０からコントローラ２へ送信されるデータサイズを必要最小限まで削減でき、すべての設定情報を登録する場合と比較して、より短い時間で必要な設定情報を登録できる。これにより、コントローラ２における設備端末の制御停止期間を大幅に短縮することができ、設備運転に対する支障を低減できる。
【００６９】
［登録機能自動選択処理］
次に、図１３を選択して、本実施の形態の設備管理システムにおける登録機能自動選択処理について説明する。図１３は、本実施の形態の設備管理システムにおける登録機能自動選択処理を示すシーケンス図である。
前述した図１１では、機能選択手段１７Ｃにおいて、オペレータの操作入力に基づき、部分情報を登録する登録対象機能を選択する場合を例として説明したが、これらステップ１４０〜１４２の処理に代えて、コントローラ２の設定情報２６Ａと設定情報管理装置１０の設定情報１６Ａとを比較し、異なる機能の部分情報のみを登録対象として自動的に選択するようにしてもよい。
【００７０】
この場合、設定情報管理装置１０の機能選択手段１７Ｃは、記憶部１６から変更管理情報として設定情報管理フラグ１６Ｃを読み出し（ステップ１７０）、その設定情報管理フラグ１６Ｃのうち変更有りを示す機能を登録対象機能として選択する（ステップ１７１）。
コントローラ２の設定情報２６Ａを変更する際、その設定情報２６Ａと同じ部分情報を設定情報管理装置１０の記憶部１６で持っている場合、例えば設定情報１６Ａのうち変更が行われていない部分情報については、設定情報２６Ａに対して登録する必要はなく、変更された部分情報のみを登録すればよい。
【００７１】
ここで、設定情報編集手段１７Ｄで任意の部分情報が変更された場合、その変更は設定情報管理フラグ１６Ｃに反映される。
したがって、図１３の登録機能自動選択処理では、設定情報管理フラグ１６Ｃを用いて、設定情報１６Ａの各機能ごとにその部分情報の変更有無を確認するようにしたので、容易かつ正確に登録要否を判断することができる。
【００７２】
なお、以上では、設定情報管理フラグ１６Ｃを各部分情報の変更管理情報として用いた場合を例として説明したが、検査データ１６Ｂを変更管理情報として用いてもよい。
この場合、機能選択手段１７Ｃでは、コントローラ２から取得した検査データ２６Ｂと記憶部１６の検査データ１６Ｂとを各機能ごとに比較し、両者が相違する機能を登録対象機能として選択すればよい。
【００７３】
［登録機能選択処理］
上記登録機能自動選択処理を図１１の設定情報登録処理に組み合わせてもよい。図１４にこれらを組み合わせた登録機能選択処理を示す。
ここでは、図１１のステップ１４０に代えて、図１３のステップ１７０を実行した後、設定情報管理装置１０の機能選択手段１７Ｃで、設定情報管理フラグ２６Ｃのうち変更有りを示す機能を登録候補機能として選択し（ステップ１７２）、これら取得候補機能のチェックボックス３０１に予めチェックマークを付けて選択状態としたダウンロード選択画面３１０を表示する（ステップ１７３）。
【００７４】
これにより、ダウンロード選択画面３１０において、登録すべき機能を予め選択状態とすることができ、その後の選択操作１４１での選択ミスによる部分情報の登録漏れを回避できる。
したがって、オペレータが変更した機能を選択し忘れた場合でも、あるいは選択操作しなくても、部分情報が変更された機能をコントローラ２へ登録することができ、変更前の内容の設定情報２６Ａを用いた場合に起こりうる監視制御の不具合を回避できる。
【００７５】
なお、以上では、図１に示すような設備管理システムを例として説明したが、システムの構成については図１に限定されるものではなく、本発明の各実施の形態の主旨を逸脱しない範囲において種々変更可能である。
また、前述した各実施の形態では、設定情報管理装置１０が通信回線８を介してコントローラ２と接続された状態で、設定情報管理装置１０とコントローラ２との間で設定情報をやり取りする場合を例として説明したが、両者の接続形態についてはこれに限定されるものではなく、例えば、コントローラ２Ａだけでなく上位コントローラ２Ｂを用いてもよく、通信回線８に代えて通信回線６や通信回線５を用いてコントローラ２Ａ，２Ｂに接続するようにしてもよい。
【００７６】
また、前述した図１１および図１４では、選択された機能ごとに取得要求または登録要求を送信する場合について説明したが、複数の機能をまとめて取得要求または登録要求を送信してもよい。
【図面の簡単な説明】
【００７７】
【図１】本発明の一実施の形態にかかる設備管理システムの構成を示すブロック図である。
【図２】本発明の一実施の形態にかかるコントローラの構成を示すブロック図である。
【図３】本発明の一実施の形態にかかる設定情報管理装置の構成を示すブロック図である。
【図４】設定情報の構成例である。
【図５】検査データの構成例である。
【図６】設定情報管理フラグの構成例である。
【図７】本発明の第１の実施の形態にかかる設定情報取得処理を示すシーケンス図である。
【図８】アップロード選択画面の表示例である。
【図９】取得機能自動選択処理を示すシーケンス図である。
【図１０】取得機能選択処理を示すシーケンス図である。
【図１１】本発明の第２の実施の形態にかかる設定情報登録処理を示すシーケンス図である。
【図１２】ダウンロード選択画面の表示例である。
【図１３】登録機能自動選択処理を示すシーケンス図である。
【図１４】登録機能選択処理を示すシーケンス図である。
【符号の説明】
【００７８】
１…設備端末、２，２Ａ…コントローラ、２Ｂ…上位コントローラ、３…中央監視装置、５〜８…通信回線、１０…設定情報管理装置、１１…通信Ｉ／Ｆ部、１２…画面表示部、１３…操作入力部、１４…入出力Ｉ／Ｆ部、１６…記憶部、１６Ａ…設定情報、１６Ｂ…検査データ、１６Ｃ…設定情報管理フラグ、１６Ｄ…プログラム、１７…制御部、１７Ａ…設定情報取得手段、１７Ｂ…設定情報登録手段、１７Ｃ…機能選択手段、１７Ｄ…設定情報編集手段、２１…通信Ｉ／Ｆ部、２２…表示部、２３…操作入力部、２４…入出力Ｉ／Ｆ部、２５…制御Ｉ／Ｆ部、２６…記憶部、２６Ａ…設定情報、２６Ｂ…検査データ、２６Ｃ…設定情報管理フラグ、２６Ｄ…プログラム、２７…制御部、２７Ａ…監視制御手段、２７Ｂ…設定情報編集手段、２７Ｃ…情報送受信手段。
【図１】
2005284468.tif 000003
【図２】
2005284468.tif 000004
【図３】
2005284468.tif 000005
【図４】
2005284468.tif 000006
【図５】
2005284468.tif 000007
【図６】
2005284468.tif 000008
【図７】
2005284468.tif 000009
【図８】
2005284468.tif 000010
【図９】
2005284468.tif 000011
【図１０】
2005284468.tif 000012
【図１１】
2005284468.tif 000013
【図１２】
2005284468.tif 000014
【図１３】
2005284468.tif 000015
【図１４】
2005284468.tif 000016